(57)【特許請求の範囲】
【請求項１】
矩形状の底面、該底面の外周から起立し起立方向の辺の長さが異なりかつこれらの辺が平行である１対の対向する略台形状側壁、高さを前記略台形状側壁の異なる辺のうちの長い方の辺長とした高い矩形状側壁、及び高さを前記高さが異なる辺のうちの短い方の辺長とした低い矩形状側壁を有する補助ユニットと、
表面側に操作面を有し底面に弾性係合片を有し、前記補助ユニットの前記底面と対向する前記補助ユニットの開口部を塞ぐように前記補助ユニットと前記係合片で固定する電話機本体とを備える電話機において、
前記電話機本体の底面には、略中央部に１対の平行したレール部材を前記底面の辺に平行して突出形成すると共に、前記レール部材と平行でない前記底面の辺の近傍に前記弾性係合片を形成し、
前記補助ユニットには、前記１対の略台形状側壁に形成され前記電話機本体の前記レール部材と係合する係合突起を備え、
前記補助ユニットの前記係合突起が形成された１対の略台形状側壁を前記係合突起を前記電話機本体の前記レール部材に係合させながら前記レール部材に沿って摺動させて前記補助ユニットの前記高い矩形状側壁又は前記低い矩形状側壁を前記弾性係合片に弾性的に係合固定させることを特徴とする電話機。
【請求項２】
前記電話機本体に対して前記補助ユニットの係合方向を変えて選択的に卓上型又は壁掛け型にする請求項１に記載の電話機。
【請求項３】
前記電話機本体の底面に形成された前記弾性係合片は、前記底面に略平行な１対のスリットを形成して、前記底面と一体に構成されることを特徴とする請求項１又は２に記載の電話機。
【請求項４】
前記電話機本体の底面に形成された前記弾性係合片は、前記底面に形成された１対のアームの自由端を連結して前記底面と一体に構成されることを特徴とする請求項１又は２に記載の電話機。
【請求項５】
前記電話機本体および前記補助ユニットは、前記電話機本体の底面に形成された前記レール部材に沿う双方向から摺動して着脱可能であることを特徴とする請求項１、２、３又は４に記載の電話機。
【発明の詳細な説明】
【０００１】
【発明の属する技術分野】
本発明は電話機に関し、特に電話機本体の底面に補助ユニットを取り付けることにより卓上型および壁掛け型の何れにも変更して使用可能にする卓上／壁掛け型の電話機に関する。
【０００２】
【従来の技術】
電話機等の電子機器又は電気通信機器は、種々の形態で使用される。一般的には、卓上型および壁掛け型の２種類の使用形態がある。卓上型は、デスク又はテーブル上に配置して使用される。卓上型では、椅子に座って作業する場合に好適なように、デスク又はテーブルの上面に平行な水定位置ではなく、手前を低くして上面に配置されているキー等の操作および表示部の表示が見易くなるように構成される。また、壁掛け型では、上端部を壁面に近く、下端が壁面から離れた位置になるよう、その正面を壁面と非平行状態に取付け、操作性を改善している。
【０００３】
このように、操作面および内部の電子回路が同一である例えば電話機を、上述した卓上型および壁掛け型の２種類に設計することは、効率的でない。そこで、基本部分である本体を共通化し、その底面（又は操作面の反対側）である主底板に着脱式の副底板を、例えば着脱自在に取り付け、この副底板の取付方を変更することにより卓上型又は壁掛け型として使用することが提案されている。斯かる従来技術又は関連技術は、例えば実開昭６０−７９８６１号公報の「卓壁兼用型電話機構造」、実開昭６３−１６７４１号公報の「通信機器構造」、実開昭６３−１３１４４２号公報の「電話機の壁掛取付け構造」、実開昭６４−３７１５０号公報の「電話機の追加ユニット実装構造」および特開昭６０−５２１４８号公報の「電話機」等に開示されている。
【０００４】
図８は、上述した最初の従来技術に開示されている「卓壁兼用型電話機構造」を示す。図８において、（Ａ）は電話機の底面（又は背面）側の分解斜視図であり、（Ｂ）は卓上型での使用状態を示す側面図および（Ｃ）は壁掛け型の取付状態を示す側面図である。この電話機１は、電話機筐体（又は本体）２、この筐体２の主底面３に着脱自在に取付けられる副底板４、筐体２に延長コード６により接続された受話器（ハンドセット）７により構成される。
【０００５】
筐体２の主底面３には、複数の係止突起溝３１および複数の係止爪溝３２が形成されている。また、副底板４には、１対の係止突起４６および１対の係止爪４７が形成されると共に、底面部４８に複数の取付穴４９が形成されている。この副底板４は、略直角三角形である側面４１を備える。筐体２に、この副底板４の取付方向を相互に反対に取り付けることにより、図８（Ｂ）に示す卓上型又は図８（Ｃ）に示す壁掛け型に変更可能である。壁掛け型で使用するのは、副底板４の底面部４８の取付穴４９に取付ねじを使用して壁面に固定した後に筐体２を取付け又は組み立てる。
【０００６】
尚、筐体２と副底板４との取付け（固定）は、副底板４の係止突起４６を筐体２の主底面３の係止突起溝３１と係止させた後に、弾性係止爪４７を係止爪溝３２に係止される。筐体２には、両側にそれぞれ１対の係止突起溝３１が形成されている。同様に、係止爪４７に対応する位置に２対の係止爪溝３２が形成されているので、副底板４の取付方向が反転又は逆転可能である。
【０００７】
【発明が解決しようとする課題】
電話機筐体と副底板とは、単に取付方向を反転可能にするのみならず、外観上の見栄えおよび着脱が容易である必要がある。しかし、上述した従来技術は、これらの要件を十分満足するものではなく且つ構造上の多くの制約があった。
【０００８】
【発明の目的】
本発明は、従来技術の上述した課題に鑑みなされたものであり、電話機本体の底面に補助ユニットを簡単に着脱して卓上型又は壁掛け型に変更可能にすると共に見栄えのよい電話機を提供することを目的とする。
【０００９】
【課題を解決するための手段】
本発明の矩形状の底面、該底面の外周から起立し起立方向の辺の長さが異なりかつこれらの辺が平行である１対の対向する略台形状側壁、高さが異なる辺のうちの長い方の辺長とした高い矩形状側壁、及び前記高さが異なる辺のうちの短い方の辺長とした低い矩形状側壁を有する補助ユニットと、表面側に操作面を有し底面に弾性係合片を有し、前記補助ユニットの前記底面と対向する前記補助ユニットの開口部を塞ぐように前記補助ユニットと前記係合片で固定する電話機本体とを備える電話機において、前記電話機本体の底面には、略中央部に１対の平行したレール部材を前記底面の辺に平行して突出形成すると共に、前記レール部材と平行でない前記底面の辺の近傍に前記弾性係合片を形成し、前記補助ユニットには、前記１対の略台形状側壁に形成され前記電話機本体の前記レール部材と係合する係合突起を備え、前記補助ユニットの前記係合突起が形成された１対の略台形状側壁をこの係合突起を前記電話機本体の前記レール部材に係合させながら前記レール部材に沿って摺動させて前記補助ユニットの前記高い矩形状側壁又は前記低い矩形状側を前記弾性係合片に弾性的に係合固定させる。
【請求項２】
前記電話機本体に対して前記補助ユニットの係合方向を変えて選択的に卓上型又は壁掛け型にする請求項１に記載の電話機。
【００１０】
また、本発明の電話機の好適実施形態によると、電話機本体に対して補助ユニットの係合方向を変えて選択的に卓上型又は壁掛け型にし、電話機本体の底面に形成された弾性係合片は、底面に略平行な１対のスリットを形成して底面と一体に構成される。電話機本体の底面に形成された弾性係合片は、底面に形成された１対のアームの自由端を連結して底面と一体に構成される。電話機本体および補助ユニットは、電話機本体の底面に形成されたレール部材に沿う２方向の何れからでも摺動して着脱可能である。
【００１１】
【発明の実施の形態】
以下、本発明による電話機の好適実施形態の構成および動作を、添付図面を参照して詳細に説明する。
【００１２】
先ず、図１は、本発明による電話機の外観示す。図１（Ａ）は、卓上型電話機の斜視図である。また、図１（Ｂ）は、壁掛け型電話機の斜視図である。この電話機１００は、電話機本体(本体部)１１０、この電話機本体１１０の底面に取付けられる箱状部である補助ユニット１２０および電話機本体１１０に係止される受話器１３０により構成される。
【００１３】
この電話機１００の電話機本体１１０は、略矩形状の操作面１１１、略台形状の側面１１５および略矩形状の底面１１６を有し、好ましくは合成樹脂の成型品である。操作面１１１には、右側に複数の操作キー１１２、この操作キー１１２の上方に例えば液晶表示パネルである表示部１１３、左側上下に設けられた凹部１１４を有する。補助ユニット１２０は、略三角形状の側面１２１を有する。また、受話器１３０は、スピーカが内蔵される受話部１３１およびマイクが内蔵される送話部１３２を備える。これら受話部１３１および送話部１３２は、通常状態（又は不使用状態）では、電話機本体１１０の操作面１１１に形成された上下１対の凹部１１４内に挿入係止されている。
【００１４】
一方、電話機１００の使用時には、ユーザが受話器１３０の中央部を握り、受話器１３０を電話機本体１１０から取り出す。着信時には、電話機１００の受話器１３０を取り上げ、受話部１３１および送話部１３２を、それぞれユーザの耳および口に近づけて相手と通話する。受話器１３１を取り上げると、凹部１１４内に配置されたフックスイッチにより操作面１１１の表示部１１３が照明され、時刻、通話相手の電話番号および通話時間等が表示される。また、電話機１００で希望する相手に電話する場合には、受話器１３０を取り上げ、操作キー１１２により相手の電話番号を入力する。この操作キー１１２の操作に応じて操作された番号等が表示部１１３に表示される。また、この表示部１１３には、通話時間および通話料金等も表示可能である。
【００１５】
図１（Ａ）に示す如く電話機１００を卓上型として使用する場合には、詳細は後述する如く、上述した補助ユニット１２０を一方向に固定し、その三角形状の側面により表示部１１３が配置された上部が高くなるようにする。他方、図１（Ｂ）に示す如く、電話機１００を壁掛け型で使用する場合には、補助ユニット１２０を、逆方向（上述した一方向と１８０°反転した方向）に固定する。その結果、電話機１００の操作面１１１は、壁面（取付面）と略平行状態になる。
【００１６】
次に、図２を参照して補助ユニット（又は箱状部）１２０を電話機本体１１０の底面（又は板状部）１１６に固定する本発明の固定装置の好適実施形態について説明する。図２中において、（Ａ）は図１に示す電話機本体１１０の底面（又は板状部）１１６側から見た斜視図であり、（Ｂ）および（Ｃ）は補助ユニット（箱状部）１２０の斜視図である。
【００１７】
図２（Ａ）に示す如く、電話機本体１１０の底面１１６には、相互に離間且つ起立する１対のレール部材１１７および弾性係合片１１８が形成されている。このレール部材１１７は、相互に外向きの断面が略Ｌ字状部材である。また、弾性係合片１１８は、好ましくはプラスチック成型品である底面１１６に平行した１対のスリット（又はコ字状スリット）１１９により一体に形成されている。電話機本体１１０の底面１１６の双頭矢印は、図２（Ｂ）および（Ｃ）に示す箱状部１２０との摺動方向を示す。即ち、後述する如く、電話機本体１１０と補助ユニット１２０とは、相互に反対方向に摺動して係合可能である。
【００１８】
次に、図２（Ｂ）および（Ｃ）に示す補助ユニット（箱状部）１２０は、略台形状の対向する側壁１２１、略矩形状の比較的高い側壁１２２、比較的低い側壁１２３、底面１２４、開口端縁１２５および対向側壁１２１の開口端縁に形成された係合突起１２６により構成される。即ち、この補助ユニット１２０は、図中の状面が開口部である箱状部を構成する。この補助ユニット１２０は、図２（Ｂ）に示す如き位置関係で電話機本体１１０の底面１１６に着脱自在に固定して、図１（Ａ）に示す卓上型電話機とする。また、図２（Ｃ）に示す位置関係で電話機本体１１０の底面１１６に着脱自在に固定し、図１（Ｂ）に示す壁掛け型電話機とすることが可能である。
【００１９】
次に、図３を参照して、弾性係合片１１８を詳細に説明する。図３（Ａ）は斜視図であり、（Ｂ）はその自由端部の（Ａ）の矢視Ａで示す側面図である。この弾性係合片１１８は、上述の如く電話機本体１１０の底面板１１６等の板状部にスリット１１９を設けて一体形成することが可能であり、片持ち梁状の弾性部１１８Ａとその自由端部に形成された係合部１１８Ｂとを含んでいる。弾性部１１８Ａは、厚さ、幅および固定基部から自由端部までの長さ等のパラメータを、その材料に応じて適宜選択して、十分な弾性が得られるようにする。
【００２０】
図３（Ｂ）に最もよく示す如く、係合部１１８Ｂは、１対の突起部１１８ｂ−１１８ｃ間に形成された凹部１１８ａを有する。これら突起部１１８ｂ−１１８ｃの外側には比較的緩やかなテーパが形成され、内側は略直角に近い角度１１８ｄに形成されている。また、凹部１１８ａは、補助ユニット１２０の側壁１２２、１２３の板厚に対応する寸法に選定されている。
【００２１】
次に、補助ユニット１２０を、電話機本体１１０の底面１１６に固定する固定方法を説明する。先ず、電話機１００を、図１（Ａ）に示す卓上型の電話機とするには、図２（Ｂ）に示す補助ユニット１２０の開口部（図中の上面）を、図２（Ａ）に示す電話機本体１１０の底面１１６で覆う。最初に、弾性係合片１１８を補助ユニット１２０の側壁１２２側にオフセットして配置し、その後に側壁１２３側に摺動（スライド）する。すると、補助ユニット１２０の対向する側壁１２１に形成された突起部１２６が、電話機本体１１０の底面１１６に起立形成された１対のレール部材１１７に挟まれながら摺動する。そして、補助ユニット１２０の側壁１２３が、弾性係合片１１８の自由端に形成された係合部１１８Ｂの突起部１１８ｂのテーパ部に当接する。更に摺動すると、突起部１１８ｂのテーパが補助ユニット１２０の側壁１２３により押圧され、図３（Ｂ）中に矢印Ｐで示す力が加えられ、弾性係合片１１８の弾性部１１８Ａが撓み、最後に側壁１２３が凹部１１８ａに落ち込んで電話機本体１１０と補助ユニット１２０が固定（ロック）される。凹部１１８ａの両側壁の角度１１８ｄは、略直角であるので、電話機本体１１０と補助ユニット１２０とは、十分な強度で固定される。
【００２２】
固定された電話機本体１１０と補助ユニット１２０を分離するには、指又は平ドライバ等の工具により弾性係合片１１８の自由端を持ち上げ、補助ユニット１２０の側壁１２３を凹部１１８ａから浮き上がらせ、電話機本体１１０を上述した摺動方向又はその反対方向へ摺動させる。
【００２３】
次に、電話機１００を、図１（Ｂ）に示す壁掛け型にする場合の、電話機本体１１０と補助ユニット１２０の固定方法を説明する。図２（Ｃ）に示す補助ユニット１２０の開口部を覆うように電話機本体１１０の底面１１６を配置する。そして、電話機本体１１０の底面１１６に起立形成された１対のレール部材１１７に補助ユニット１２０の突起１２６を係合させて弾性係合片１１８を補助ユニット１２０の側壁１２３に近づけるように摺動する。摺動を続けると、今度は、係合部１１８Ｂの突起１１８ｃのテーパが補助ユニット１２０の側壁１２２に当接する。更に摺動すると、弾性部１１８Ａが撓められ、最後に補助ユニット１２０の側壁１２２が凹部１１８ａに落ち込んで電話機本体１１０と補助ユニット１２０が固定（ロック）される。固定された電話機本体１１０と補助ユニット１２０との分離は、上述の場合と同様手順で行う。
【００２４】
次に、図４および図５を参照して、電話機本体１１０の底面１１６に形成された弾性係合片１１８の変形例について説明する。図４に示す弾性係合片１１８’は、電話機本体１１０の底面１１６に２対のスリットを形成することにより弾性部１１８Ａを１対のアーム状に形成している。そして、これら１対のアームの自由端を連結して係合部１１８Ｂを形成している。これにより、弾性係合片１１８’を比較的幅広とし、弾性および係合安定性を高めている。尚、これら１対の弾性アームの自由端に別個に係合部１１８Ｂを形成することも可能である。
【００２５】
また、図５に示す弾性係合片１１８"は、係合部１１８Ｂの凹部１１８ａを形成する両側壁の角度１１８ｄを鈍角としている。このように、角度１１８ｄを調整することにより、電話機本体１１０および補助ユニット１２０の弾性係合力を調整し、両者の係合状態で一定値以上の外力を加えることにより、弾性係合片１１８の自由端に外力を加えることなく電話機本体１１０と補助ユニット１２０の分離が可能である。
【００３４】
【発明の効果】
以上の説明から理解される如く、本発明の電話機によると、次の如き実用上の顕著な効果が得られる。別個に形成された本体部および補助ユニット等を簡単且つ迅速に着脱可能である。また、特殊形状の複数の取付穴等を形成する必要がない。更に、両者の固定強度も種々に選定可能である。また、種々の応用が可能であり且つ外観上の見栄えも優れている。更にまた、補助ユニット（箱状部）と本体部とは、双方向に着脱可能であるので操作性が優れている。
【図面の簡単な説明】
【図１】本発明による電話機の好適実施形態を示し、（Ａ）は卓上型電話機の正面側から見た斜視図、（Ｂ）は壁掛け型電話機の正面側から見た斜視図である。
【図２】図１における電話機の電話機本体および補助ユニットを示し、（Ａ）は電話機本体の底面側から見た斜視図、（Ｂ）は卓上型として使用する場合の補助ユニットの斜視図、（Ｃ）は壁掛け型として使用する場合の補助ユニットの斜視図である。
【図３】図１に示す電話機本体の底面に形成された弾性係合片の詳細を示し、（Ａ）は全体の斜視図、（Ｂ）はその自由端部に形成された係合部の（Ａ）の矢視Ａ方向の側面図である。
【図４】電話機本体の底面に形成される弾性係合片の変形例の全体の斜視図である。
【図５】図３（Ｂ）に示す弾性係合片の係合部の変形例を示す側面図である。
【図６】従来の電話機を示し、（Ａ）は副底板を分離した電話機本体の背面側の斜視図、（Ｂ）は卓上型電話機の側面図、（Ｃ）は壁掛け型電話機の側面図である。
【符号の説明】
１００  電話機
１１０  電話機本体
１１１  操作面
１１２  操作キー
１１３  表示部
１１６  電話機本体の底面
１１７  レール部材
１１８、１１８’、１１８”  弾性係合片
１１８Ａ  片持ち梁状弾性部（アーム）
１１８Ｂ  係合部
１１９  スリット
１２０  補助ユニット
１２１ 略台形状の側壁
１２２  矩計状高い側壁
１２３  矩形状低い側壁
１２４  補助ユニットの底面
１２６  係合突起
【図１】
0003769488.tif 000002
【図２】
0003769488.tif 000003
【図３】
0003769488.tif 000004
【図４】
0003769488.tif 000005
【図５】
0003769488.tif 000006
【図６】
0003769488.tif 000007